(57)【特許請求の範囲】
【請求項１】
エンジン駆動の発電機と、前記発電機により充電される発電機側バッテリとを含む発電機側電源系と、車載の電気負荷と、前記電気負荷に給電する負荷側バッテリとを含む負荷側電源系と、前記発電機側電源系から前記負荷側電源系に送電する電力伝送装置と、前記電力伝送装置を制御して前記送電を調節する送電制御回路とを備える２電源方式の車両用電源装置において、
前記発電機側バッテリと前記電力伝送装置との間に配置されるとともに車両走行風又は強制冷却風により冷却されて前記発電機側バッテリ及び前記電力伝送装置の両方を冷却する冷却用金属体を兼ねると共に、前記発電機側バッテリの端子と前記電力伝送装置の発電機側端子とを接続するバスバーを有し、
前記電力伝送装置は前記冷却用金属体を介して前記発電機側バッテリに隣接した状態にて前記冷却用金属体及び前記発電機側バッテリと一体に結合されていることを特徴とする２電源方式の車両用電源装置。
【発明の詳細な説明】
【技術分野】
【０００１】
本発明は、互いに電圧が異なる複数バッテリを有する２電源方式の車両用電源装置し、好適にはパワー半導体素子実装電子回路装置やバッテリなどを含む車載電力装置を冷却風により冷却するための空冷構造に関する。
【背景技術】
【０００２】
近年、電圧が異なる二つのバッテリを用いた２電源方式の車両用電源装置がハイブリッド車やエンジン車やハイブリッド車において種々提案されている。この２電源方式の車両用電源装置では、エンジン駆動の発電機と発電機側バッテリとをもつ高電圧の発電機側電源系と、車載電気負荷とそれに給電する負荷側バッテリとをもつ低電圧の負荷側電源系と、発電機側電源系から負荷側電源系へ電圧変換して送電する電力伝送装置を設けるのが通常である。この２電源方式の車両用電源装置によれば、車載電気負荷へ印加する電源電圧レベルの変動を抑止しつつ、走行動力発生、回生電力充電、トルクアシスト電力放電などのために発電機側バッテリの充電レベル（ＳＯＣ）を大幅に変動させることが可能となる。また、エンジン車では、エンジン停止中における車載電気負荷への給電を発電機側バッテリから行うことにより、負荷側電源系の電圧変動を抑止することが可能となる。車載電気負荷の一例として、照明負荷やラジオや制御装置など電圧低下を嫌う負荷が挙げられる。この種の２電源方式の車両用電源装置の例として、たとえば本出願人の出願になる下記の特許文献１が知られている。
【０００３】
なお、発電機側バッテリの容量不足を補償するために負荷側バッテリから発電機側電源系への給電も提案されている。発電機側バッテリとしては充放電の繰り返しに対する耐久性に優れたリチウム二次電池、水素吸蔵合金二次電池、電気二重層コンデンサの採用が提案されており、負荷側バッテリとしては経済性に優れた鉛二次電池の採用が好適である。特に、リチウム二次電池は、重量当たりの蓄電エネルギーに優れ、車両軽量化による燃費低減を実現することができる利点をもつ。
【０００４】
また、エンジントルクにより走行するエンジン車、エンジントルクとモータトルクとを利用して走行するハイブリッド車、及び、モータトルクにより走行する電気自動車において、モータ制御用インバータやＤＣ−ＤＣコンバータなどの車載電力制御装置は大電流のスイッチングを行うため、内蔵のパワー半導体素子の良好な冷却が重要課題となっている。また、バッテリや電気二重層コンデンサなどの車載電力貯蔵装置も頻繁な充放電を行うと内部発熱が大きいためにその冷却が重要であることが知られている。以下、これら車載されて大電流が通電される電力制御装置や電力貯蔵装置を総称して車載電力装置と称するものとする。
【０００５】
この種の車載電力装置の冷却構造として、冷却媒体を車載電力装置の冷却基板に接触させて伝熱冷却する方式が一般的である。たとえば、特許文献２〜４は液冷方式の車載電力装置を提案し、特許文献５は液冷、空冷の両方式を採用する車載電力装置を提案し、特許文献６は、一体化されたバッテリと充電装置とファンとをからなり、ファンが形成した空気流によりバッテリ及び充電装置の両方を冷却する空冷式の充電装置付きバッテリ装置を提案している。
【０００６】
しかしながら、上述した液冷方式は、装置規模の増大と構成の複雑化により重量や必要設置スペースが増大するという問題を本質的に内包しており、小型軽量化が強く要求される車載用途での実用が容易ではなかった。更に説明すると、液冷方式においては、発熱体と熱媒体との間の伝熱面積は低減できるが、熱媒体の熱を大気に放散するための熱媒体と大気との間の間接熱交換器の伝熱面積の低減は容易ではない。このため、発熱体又はそれと良好に熱接触する冷却用金属体又はヒートパイプなどを冷却風に直接曝す空冷方式が小型軽量化の点で液冷方式よりも有利となり、構成の簡素化により信頼性も向上し、車載電力装置においては利点が大きい。
【特許文献１】特開２００２−３４５１６１号公報
【特許文献２】特開平４−２７５４９２号公報
【特許文献３】特開平６−３０３７０４号公報
【特許文献４】特開２００４−８２９４０号公報
【特許文献５】特開平９−１２６６１７号公報
【特許文献６】特開２００４−０３９６４１号公報
【発明の開示】
【発明が解決しようとする課題】
【０００７】
しかしながら、上記した２電源方式の車両用電源装置は、単一バッテリを用いた従来のエンジン車用電源装置に比較して、発電機側バッテリと電力伝送装置との追加が必要となる。このため、これらを車両前部の狭小なエンジンルームに収容する場合、エンジンルーム内の機器配置が難しくなった。また、これら発電機側バッテリと電力伝送装置とをエンジンルーム外たとえば車両後部のトランクルーム内などに配置することも考えられるが、トランクルームのラッゲジスペースが減少する点では同じである。また、発電機側バッテリと電力伝送装置との追加に伴って、配線が複雑化し、配線電力損失の増大、配線のための必要スペースの増大も生じた。
【０００８】
更に、発電機側バッテリとして、高エネルギー蓄電が可能又は充放電のサイクル寿命に優れたリチウム二次電池や水素吸蔵合金二次電池を発電機側バッテリとして用いることが好適であるが、これらのバッテリは、従来の鉛バッテリに比べて格段に高エネルギーを蓄積するため、車両衝突などによる破壊を防止するための耐衝撃性を向上させる必要があり、発電機側バッテリを車両衝突から保護するために更なる必要スペース又は重量の増大が生じるおそれがあった。特に、発電機側バッテリ及び電力伝送装置はそれぞれ発熱部材であるうえ厳しい最高温度制限をもつので、それらの冷却機構を含む装置の必要スペースや重量が増大し、部品点数や組み付け工数も増大するという問題もあった。
【０００９】
また、上記した特許文献６の空冷方式は、冷却ファン、それを駆動するモータ並びにこのモータを制御するモータコントローラからなる電動ファン装置を充電装置付きバッテリに付設する必要があり、その分だけ装置構成の複雑化と体格、重量の増加を招くという弱点を有していた。更に、その消費電力だけバッテリの消耗を招くという問題もあった。このことは特許文献６に記載されるように発熱体としての充電装置付きバッテリに冷却ファンを一体化乃至内蔵せずに冷却ファンを別置する場合においても同じである。したがって、上述したように小型軽量化要求や燃費向上要求が強い車載電力装置にこのような専用の電動ファン装置を追設することは、コスト及び燃費の犠牲を招くため、液冷方式よりはましであるがなお苦しい選択となっていた。
【００１０】
この不具合を回避するために、車両走行風を利用して車載電力装置を自然通風冷却すると言う車両走行風冷却方式も考えられるが、ほとんどの車載電力装置は停車時も運転され、かつ、車両走行風は車両各部において良好に利用され得るものではないため、冷却機能の低下は免れなかった。また、別案として、既設の車載ファン、たとえばラジエータや車両空調用冷凍サイクル装置のコンデンサとしての間接熱交換器の強制冷却のための電動ファンの下流に車載電力装置を配置し、この既設車載ファンが形成する強制冷却風を利用すると言う考えも生じる。しかしながら、車載ファンの下流に車載電力装置を配置する方式では、車載電力装置の配置が限定され、その上、車載電力装置がその下流に配置された部分の下流部分に配置されて車載ファンにより本来、冷却されるべき発熱体の冷却性が低下してしまうという問題があった。特に、車載ファン下流にこの車載ファンの強制冷却風により例隠されるエンジンのごとき発熱体が存在する場合、車載ファンとエンジンとの間に車載電力装置を介設することは、車載電力装置がエンジンにより加熱されるため簡単ではない。また、上記車載電力装置の介設は、良好な冷却のために車載ファンの下流側にできるだけ近接配置されるべきエンジンと車載ファンとが離れることを意味するため、エンジンにとっても得策ではない。また、別案として、既設の車載ファンからその下流側に吹き出される強制冷却風の一部をバイパスダクトにより別置の車載電力装置に導引するという案も考えられる。しかしながら、車載ファンから吹き出された強制冷却風を良好にバイパスダクトに流入させるには、バイパスダクトは、車載ファンの下流面に対面する大きな開口を吸入口としてもつ必要があり、このバイパスダクトの開口は、その下流部分に強制冷却風が流れない領域を生じさせるため、車載ファンが形成する強制冷却風が流れる通路の有効断面積が減少するという不具合を生じさせた。また、車載ファンが形成した強制冷却風のうち、バイパスダクトに流入する部分は、車載ファンが本来冷却するべき発熱体の冷却に利用できないという不具合も生じた。
【００１１】
本発明は上記問題点に鑑みなされたものであり、設置が容易なうえ車重及び配線電力損失の増大の抑止と安全性の向上とが可能な２電源方式の車両用電源装置を提供することを目的としている。また、本発明は、必要スペースと重量との増加が少ないうえ構成が簡素であり、かつ、総合的に優れた冷却効果を有する空冷式車載電力装置を提供することを目的としている。
【課題を解決するための手段】
【００１２】
上記課題を解決するためになされた発明は、エンジン駆動の発電機と、前記発電機により充電される発電機側バッテリとを含む発電機側電源系と、車載の電気負荷と、前記電気負荷に給電する負荷側バッテリとを含む負荷側電源系と、前記発電機側電源系から前記負荷側電源系に送電する電力伝送装置と、前記電力伝送装置を制御して前記送電を調節する送電制御回路とを備える２電源方式の車両用電源装置において、前記発電機側バッテリと前記電力伝送装置との間に配置されるとともに車両走行風又は強制冷却風により冷却されて前記発電機側バッテリ及び前記電力伝送装置の両方を冷却する冷却用金属体を兼ねると共に、前記発電機側バッテリの端子と前記電力伝送装置の発電機側端子とを接続するバスバーを有し、前記電力伝送装置は前記冷却用金属体を介して前記発電機側バッテリに隣接した状態にて前記冷却用金属体及び前記発電機側バッテリと一体に結合されていることを特徴とする２電源方式の車両用電源装置。
【００１３】
このように構成したこの発明の車両用電源装置によれば、電力伝送装置を発電機側バッテリと冷却用金属体を介して一体に固定した構造を採用したために、従来の２電源方式の車両用電源装置を実車に搭載する上の問題点であった設置の困難性、車重増加及び配線電力損失増大といった問題点を解決することができ、小型車への２電源方式の車両用電源装置の実装が容易となる。なお、２電源方式の車両用電源装置自体の種々の効果自体についての説明は既述したので省略する。
また、電力伝送装置と発電機側バッテリとを冷却するための送風経路を共用化することができるため、送風機構の簡素化を実現することができる。
更に、発電機側バッテリの端子と電力伝送装置の発電機側端子とを接続するバスバーは冷却風通路に露出する。これにより車両走行風又は強制冷却風によりバスバーを良好に冷却することができる。更に説明すると、バスバーは、電力伝送装置の半導体スイッチング素子や発電機側バッテリ内部の電極体に熱的に良好に結合しているために、バスバーの冷却はそれらの冷却に大きな効果がある。そのうえ、高温の半導体スイッチング素子から発電機側バッテリへの熱伝導を車両走行風又は強制冷却風によるバスバー冷却により良好に阻止して発電機側バッテリの温度上昇阻止も実現することができる。好適な態様において、このバスバーは、一体に形成されるか又は後で装着された冷却フィンをもつことができ、実質的に上記した冷却用金属体を兼ねることができる。このようにすれば、発電機側バッテリや電力伝送装置の一層の冷却が可能となる。
【００１４】
本発明では、電力伝送装置を冷却用金属体を介して発電機側バッテリに隣接した状態でそれらを一体化した構造を採用しているため、衝突時などにおいて電力伝送装置や冷却用金属体側から発電機側バッテリに機械的衝撃が作用する場合でも、この機械的衝撃はまず電力伝送装置や冷却用金属体により吸収されてから発電機側バッテリに作用することになり、発電機側バッテリの耐破壊性を向上することができる。なお、電力伝送装置や冷却用金属体は、何らかの機械的支持手段を通じて発電機側バッテリに機械的衝撃が掛かるのを軽減しつつ車体に支持されることが好適である。既述したように本発明の発電機側バッテリには大きなＳＯＣ変動の繰り返しが要求されるためそれに対する耐久性に優れたリチウム二次電池などが採用されるが、このような高エネルギー蓄積型のバッテリが機械的衝撃により破壊されると、大きなエネルギーが放出されて火災などの要因となる。本発明はこの問題に対する安全性を向上することができる。
【００１５】
なお、上記した発電機側バッテリとしては、充放電の繰り返しに対する耐久性に優れたリチウム二次電池、水素吸蔵合金二次電池、電気二重層コンデンサなどが好適である。また、電力伝送装置としては、インバータ型やチョッパ型のＤＣ−ＤＣコンバータやシリーズレギュレータを採用することができる。更に、電力伝送装置は、必要時に発電機側バッテリを発電機側電源系から遮断するスイッチをもつこともできる。このスイッチは発電機及び電力伝送装置と発電機側バッテリとの間や、発電機側バッテリの低位電極端子と接地ラインとの間に配置されることができる。冷却用金属体は、発電機側バッテリ又は電力伝送装置のヒートシンク又は冷却フィンとしての機能をもつ。これにより、発電機側バッテリ又は電力伝送装置の温度上昇を良好に行うことができる。
【００１６】
また、電力伝送装置（特にその内部で最も冷却が必要な半導体スイッチング素子）に比べて格段に温度上昇制限が厳しい発電機側バッテリを、この冷却用金属体により電力伝送装置から良好に隔離することができるため、電力伝送装置の発生熱が発電機側バッテリを加熱することにより、発電機側バッテリが過熱するのを良好に防止することができる。なお、発電機側バッテリは電機絶縁性の必要から樹脂製のバッテリケースに収容されるのが通常であり、このバッテリケースの許容耐熱温度限界は半導体スイッチング素子の許容温度限界により格段に低い。
【００１７】
好適な態様において、前記冷却用金属体は、前記発電機側バッテリと前記電力伝送装置とを結ぶ線に対して略直角の方向へ前記冷却用金属体の表面に沿いつつ前記車両走行風又は強制冷却風を通過させる冷却風通路を有する。これにより、車両走行風又は強制冷却風により少ない圧損で良好に冷却用金属体を冷却することができる。なお、この冷却風通路は、冷却用金属体の他に電力伝送装置や発電機側バッテリなどにより区画されることができる。
【００１８】
好適な態様において、前記冷却用金属体の冷却風通路に車両走行風又は強制冷却風を案内する冷却風案内ダクトを有する。このようにすれば、車両走行風又は強制冷却風を良好に冷却用金属体に案内することができ、冷却性能を向上することができる。
【００２０】
好適な態様において、前記冷却用金属体は、前記発電機側バッテリと前記電力伝送装置との間にて前記発電機側バッテリ側に配置されるとともに車両走行風又は強制冷却風により冷却されて前記発電機側バッテリを冷却する第１の冷却用金属体と、前記第１の冷却用金属体と前記前記電力伝送装置との間にて前記電力伝送装置側に配置されるとともに車両走行風又は強制冷却風により冷却されて前記電力伝送装置を冷却する第２の冷却用金属体とを有する。このようにすれば、既述した理由により高温化が可能な電力伝送装置用の第２の冷却用金属体と、更なる低温化が必要な発電機側バッテリの第１の冷却用金属体とを温度を変更することができ、第２の冷却用金属体の小型化と、第１の冷却用金属体の低温化とを実現することができる。なお、この態様において、冷却風通路において、第１の冷却用金属体と第２の冷却用金属体とを直列に配置することにより、第１の冷却用金属体を冷却した車両走行風又は強制冷却風により第２の冷却用金属体を冷却するようにすることができ、この場合には車両走行風又は強制冷却風の全量を発電機側バッテリ及び電力伝送装置の冷却に用いることができるうえ、発電機側バッテリを低温化する冷却系を簡素に構成することができる。
【００２２】
好適な態様において、前記発電機側バッテリは、リチウム二次電池又は水素吸蔵合金二次電池又は電気二重層コンデンサのいずれかを含む。これにより、発電機側バッテリの頻繁な充放電の繰り返しが可能となる。
【発明を実施するための最良の形態】
【００３０】
本発明好適な実施態様を図面を参照して以下に説明する。なお、この発明は下記の実施例に限定解釈されるものではなく、本発明の技術思想を他の公知技術又はそれと同等の技術を組み合わせて実現してもよいことはもちろんである。
【００３１】
（第１実施形態）
第１実施形態の車両用電源装置の回路構成を図１に示すブロック回路図を参照して説明する。
【００３２】
１は図示しないエンジンにより駆動される発電機であり、整流器を内蔵している。発電機１は発電機側バッテリ２に電源ライン３を通じて給電している。発電機側バッテリ２は定格電圧が１４．８Ｖのリチウム二次電池により構成されており、４セルを直列接続して構成されている。リチウムに二次電池は温度や過充電や過放電に対する保護が重要であり、実際には種々の保護回路を有するが、それについては説明を省略する。発電機１、発電機側バッテリ２及び電源ライン３は本発明で言う発電機側電源系を構成している。
【００３３】
４は負荷側バッテリであり、複数の電気負荷５に負荷給電ライン６を通じて給電している。負荷側バッテリ４は定格電圧が１２．７Ｖの鉛バッテリであり、車両用バッテリとして広く市販されているものが称されている。負荷側バッテリ４、電気負荷５及び負荷給電ライン６は本発明で言う負荷側電源系を構成している。
【００３４】
７は、負荷側電源系が必要とする電力を電源ライン３から負荷給電ライン６に送電する電力伝送装置であり、チョッパ型など種々の回路形式のＤＣ−ＤＣコンバータの他、両電源系間の電圧差に等しい電圧降下を発生するシリーズレギュレータなどを用いて構成されている。その他、電力伝送装置７は、発電機側バッテリ２の正極端子と電源ライン３との間又は発電機側バッテリ２の負極端子と接地との間にMOSトランジスタなどのスイッチを有してもよい。このスイッチの開放により必要に応じて発電機側バッテリ２を発電機側電源系から分離することができる。
【００３５】
８は、電力伝送装置７などを制御するマイコン内蔵のコントローラ（制御回路）８であり、電力伝送装置７とコントローラ８とは系間送電回路を構成している。コントローラ８は、読み込んだ負荷側バッテリ４の電圧Vpbと所定の目標電圧値Vthとの偏差ΔVが０となるように電力伝送装置７に制御電圧を出力して、いわゆるネガティブフィードバック制御を行う。これにより、通常状態においては、負荷給電ライン６の電圧は負荷側バッテリ４の所定の電位レベルに安定に保持されるとともに、発電機側電源系から負荷側電源系への給電停止時などにおいて、負荷側バッテリ４は電気負荷５に給電する。なお、発電機側電源系に電気負荷を接続することも可能であり、電力伝送装置７の逆方向送電動作により負荷側バッテリ４から発電機側電源系に逆送電することも可能である。また、コントローラ８は、車両減速時に発電機１の発電量を増大させる。増加した発電電流は発電機側バッテリ２のＳＯＣが許容する範囲にて発電機側バッテリ２を充電する。コントローラ８は、発電電流が発電電流を増大すれば、過剰な発電電力は発電機側バッテリ２の充電に消費される。コントローラ８は、この回生制動が終了した後、発電機側バッテリ２に蓄電された回生蓄電電力量を電力伝送装置７を通じて負荷側電源系側に放電し、所定のＳＯＣレベルに復帰する。所定のＳＯＣレベルとしてはたとえば５０乃至６０％の採用が好適である。その他、発電機側バッテリ２の蓄電電力量は、エンジン始動時やトルクアシスト時やアイドルストップ時における電気負荷５への給電に使用される。上記説明したように、発電機側バッテリ２には頻繁な充放電が要求されるため充放電サイクルの繰り返しに対する劣化が少ないリチウム二次電池が採用され、負荷側バッテリ４には電気負荷５の電源電圧変動を抑止する機能をもてばよいため鉛二次電池が採用される。
【００３６】
なお、上記説明では、２電源方式の車両用電源装置をもつエンジン車を説明したが、２電源方式の車両用電源装置を有するハイブリッド車においても本質的に同じ構成、動作を採用することができる。
【００３７】
電力伝送装置７及びコントローラ８を実装した系間送電回路としての回路モジュール１０の形状を図２を参照して説明する。この回路モジュール１０は、ベースプレート７１、パワーMOSトランジスタを内蔵する両面電極型のカードモジュール７２、７３、半導体モジュールにより構成されるコントローラ８、ヒートシンク７４、７５、樹脂モールド部７６、絶縁シート７７を有している。７８はカードモジュール７２、７３の制御電極端子をなすリード電極であり、コントローラ８の電極端子と接続されている。７９は後述する電池ガス案内するための金属製のガス案内部材であり、樹脂モールド部７６の下面中央に固定されている。
【００３８】
ベースプレート７１には絶縁シート７７を挟んでカードモジュール７２、７３及びコントローラ８が実装、固定されている。カードモジュール７２、７３の下面７２０、７３０にはヒートシンク７４、７５が個別に固定され、樹脂モールド部７６はこれらの部材を一体化するとともに、カードモジュール７２、７３及びコントローラ８間の電気絶縁を実現している。
【００３９】
カードモジュール７２の両面７２０、７２１は内蔵のパワーMOSトランジスタの一対の主電極を構成し、カードモジュール７３の両面７３０、７３１は内蔵のパワーMOSトランジスタの一対の主電極を構成している。この実施例では、カードモジュール７２の下面７２０はヒートシンク７４を通じて発電機側電源系の電源ライン３に接続され、カードモジュール７３の下面７３０はヒートシンク７５を通じて接地ラインに接続されている。また、カードモジュール７２の上面は主電極７２１をなし、カードモジュール７３の上面は主電極７３１をなす。カードモジュール７２、７３は、図示しない配線に接続されてＤＣ−ＤＣコンバータを構成している。ベースプレート７１は、このＤＣ−ＤＣコンバータの高電位側の出力端子を構成している。
【００４０】
もちろん、電力伝送装置７をなすＤＣ−ＤＣコンバータとしては、種々の回路形式があり、図２はそのモジュール化の一例を示す。また、ヒートシンク７４、７５やベースプレート７１は、電極端子を兼ねないようにしてもよい。電力伝送装置７としては、ＤＣ−ＤＣコンバータの他、シリーズレギュレータを採用することができる。
【００４１】
この回路モジュール１０を用いた系間送電回路と発電機側バッテリ２とにより構成した電池アセンブリ１００、すなわち電力伝送装置付き発電機側バッテリの例を図３、図４に示す。図３は、電池アセンブリ１００を車両前方から後方へみた正面図を示し、図４は電池アセンブリ１００を車両側方からみた側面図を示す。この電池アセンブリ１００は車両のエンジンルーム後部に配置されている。図３、図４において、電池アセンブリ１００は車体に公知の種々の方法で固定された底板１１上に固定されている。
【００４２】
電池アセンブリ１００は、底板１１上に固定された発電機側バッテリ２と、発電機側バッテリ２上に固定された回路モジュール１０と、発電機側バッテリ２及び回路モジュール１０を囲覆する樹脂製のバッテリカバー１２とからなる。７１０はベースプレート７１の複数の冷却フィンであり、上方へ突出している。各冷却フィン７１０は、互いに車両左右方向に所定間隔を隔ててそれぞれ車両前後方向に延設されている。隣接する冷却フィン７１０の間のスペースは冷却風が車両前後方向に流れる冷却風通路を構成している。７４１はヒートシンク７４の複数の冷却フィンであり、下方へ突出している。各冷却フィン７４１は、互いに車両左右方向に所定間隔を隔ててそれぞれ車両前後方向に延設されている。隣接する冷却フィン７４１の間のスペースは冷却風が車両前後方向に流れる冷却風通路を構成している。７５１はヒートシンク７５の複数の冷却フィンであり、下方へ突出している。各冷却フィン７５１は、互いに車両左右方向に所定間隔を隔ててそれぞれ車両前後方向に延設されている。隣接する冷却フィン７５１の間のスペースは冷却風が車両前後方向に流れる冷却風通路を構成している。
【００４３】
発電機側バッテリ２は、その上面にガス排出用安全弁２０と、＋電極端子２１と−電極端子２２とを有している。＋電極端子２１はヒートシンク７４の冷却フィン７４１に電気伝導良好に密着あるいは固定されており、−電極端子２２はヒートシンク７５の冷却フィン７５１に電気伝導良好に密着あるいは固定されて、発電機側バッテリ２と回路モジュール１０との電気接続がなされている。
【００４４】
ガス排出用安全弁２０は、ガス案内部材７９の直下に配置されており、発電機側バッテリ２の内部が高圧となってガス排出用安全弁２０から上方へガスが噴出した場合でも、このガスの流れを前後方向へ偏向することにより、高温のガスが樹脂モールド部７６に接触しないようにしている。
【００４５】
なお、回路モジュール１０の天地を逆転すれば、ガス排出用安全弁２０から噴出した高温ガスは、熱容量が大きいベースプレート７１に衝突して冷却されるため、ガス案内部材７９を省略することができる。ただし、この場合、発電機側バッテリ２の＋電極端子２１と回路モジュール１０の電極端子を兼ねるヒートシンク７４との電気接続のためのバスバー、並びに、発電機側バッテリ２の−電極端子２２と回路モジュール１０の電極端子を兼ねるヒートシンク７５との電気接続のためのバスバーを追加する必要がある。なお、この実施例ではヒートシンク７４、７５は発電機側バッテリ２を冷却するための冷却用金属体を兼ねている。
【００４６】
もちろん、回路モジュール１０とその下の発電機側バッテリ２との間の空間に回路モジュール１０を冷却するための冷却フィン付きの冷却用金属体と、発電機側バッテリ２を冷却するための冷却フィン付きの冷却用金属体と別々に配置することもできる。これら両冷却フィン付きの冷却用金属体は電気的に同電位とできる他、必要に応じて分離などにより相互の電気絶縁を図っても良い。
【００４７】
バッテリカバー１２は、車両左右方向において、図３に示すように発電機側バッテリ２の左右側面に略接触しており、図４に示すように発電機側バッテリ２の前端面と後端面との間に所定隙間を維持して対面している。これらの隙間は、バッテリカバー１２内に車両走行風又は強制冷却風を流すための冷却風通路（矢印にて図示）を構成している。バッテリカバー１２の前端面下部には冷却風案内ダクト１３の下流端に連結された冷却風吸入口１２１が設けられ、バッテリカバー１２の後端面下部には冷却風をエンジンルーム内に排出するための冷却風吐出口１２２が形成されている。
【００４８】
冷却風の流れを説明すると、冷却風案内ダクト１３の上流端は車両前部のエンジンルームの前部に開口しており、車両走行風を取り込む。冷却風案内ダクト１３の途中部分には冷却ファン機構２００が介設されている。冷却ファン機構２００を図５を参照して説明する。
【００４９】
１３１は冷却風案内ダクト１３の上流部、１３２は冷却風案内ダクト１３の下流部であり、１４は遠心ファンでいる。上流部１３１の下流端は遠心ファン１４の吸入口に連結され、下流部１３２の上流端は遠心ファン１４の吹き出し口に連結されている。Ｍは遠心ファン１４を駆動するモータである。１５は、冷却風案内ダクト１３の上流部１３１と下流部１３２とを連結するバイパスダクトであり、遠心ファン１４をバイパスしている。１６はバイパスダクト１５の入り口部分に樹脂ヒンジにより回動自在に設けられた逆止ダンパである。逆止ダンパ１６は、冷却風案内ダクト１３の上流部１３１が下流部１３２よりも正圧となる場合に差圧により開き、冷却風案内ダクト１３の上流部１３１が下流部１３２よりも負圧となる場合に差圧により閉じる。遠心ファン１４を駆動する場合には強制冷却風がバッテリカバー１２に導入され、遠心ファン１４を駆動せず、車両走行風が強い場合には車両走行風がバッテリカバー１２に導入される。遠心ファン１４は発電機側バッテリ２又は回路モジュール１０の温度が所定のしきい値レベルを超える場合に駆動される。このようにすれば、非常に簡素な構成により、車両走行風及び強制冷却風をバッテリカバー１２内に必要に応じて導入して発電機側バッテリ２や回路モジュール１０を冷却することができる。なお、上記した樹脂ヒンジの代わりに金属回転軸を用いて逆止ダンパ１６をバイパスダクト１５に固定してもよく、冷却ファン機構２００として図５以外の機構を採用しても良い。また、この冷却ファン機構２００が吹き出す冷却風を他の機器の冷却に用いても良い。
【００５０】
バッテリカバー１２の冷却風吸入口１２１からバッテリカバー１２内に流入した冷却風は、発電機側バッテリ２の前壁面を冷却しつつベースプレート７１やヒートシンク７４、７５を冷却し、その後、発電機側バッテリ２の後壁面を冷却しつつ冷却風吐出口１２２から排出される。発電機側バッテリ２の冷却性を向上するために、その前壁面や後壁面に冷却フィンを追設してもよい。
【００５１】
（変形態様）
上記実施例では、回路モジュール１０は発電機側バッテリ２の上部に搭載、固定されたが、回路モジュール１０をなんらかの支持部材を通じて底板１１に固定しても良い。
【００５２】
その他の変形態様を図６、図７を参照して説明する。図６は電池アセンブリ１００を車両前方から後方へみた正面図を示し、図７はバッテリカバー１２を破断した電池アセンブリ１００の平面図を示す。この変形態様では回路モジュール１０は、発電機側バッテリ２の上に密着固定されており、回路モジュール１０はガス排出用安全弁２０の周囲を囲む孔２９が設けられている。バッテリカバー１２は金属板により形成されているが、バッテリカバー１２は図示しない絶縁シートを介してヒートシンク７４、７５の冷却フィン７４１、７５１から電気絶縁されつつヒートシンク７４、７５に密着している。このようにすれば、バッテリカバー１２はガス排出用安全弁２０から上方へのガス排出を阻止するとともに、ヒートシンク７４、７５とともに本発明で言う冷却用金属体を構成することができる。また、この変形態様では、回路モジュール１０は発電機側バッテリ２よりも左右及び前後に幅広に形成されているので、車両衝突に対する衝撃を発電  機側バッテリ２に先んじて負担することができる。
【００５３】
その他の変形態様を説明する。バッテリカバー（共通カバー）１２を金属板製とする場合、このバッテリカバー１２は、発電機側バッテリ２又は回路モジュール１０の接地電極端子に接続される接地用バスバーを兼ねるようにしてもよい。この時、回路モジュール１０から素子冷却のために突出するヒートシンク７４、７５やベースプレート７１を素子の電極端子にそれに対して電気導通可能に接続するか、熱伝導性が良好な絶縁シートを用いて電気絶縁可能に接触させるかは適宜選択できる事項にすぎない。
【００５４】
その他の変形態様を図８を参照して説明する。この変形態様は、バッテリカバー１２が、バッテリ２の上面のみを覆う形状としたものである。４００は発電機側バッテリ２の電極端子に固定される冷却フィンであり、この冷却フィン４００の上に回路モジュール１０が搭載されている。回路モジュール１０はその上面から突出する冷却フィン５００を有し、冷却フィン５００は回路モジュール１０の内部の素子を冷却する。冷却風案内ダクト１３からバッテリカバー１２内に導入された車両走行風又は強制冷却風はまず冷却フィン４００を冷却した後、上方に反転して冷却フィン５００を冷却する。バッテリカバー１２は、内部に冷却風通路を形成するとともに回路モジュール１０を保護し、更に、回路モジュール１０及びバッテリカバー１２は上方からの機械的衝撃に対して発電機側バッテリ２を保護するとともに、発電機側バッテリ２の上面のガス排出用安全弁からガスが上方へ噴出するのを防止する。なお、この変形態様においても回路モジュール１０又はバッテリカバー１２を発電機側バッテリ２よりも前後方向又は左右方向へ突出させて水平方向の機械的衝撃が発電機側バッテリ２に加えられるのを邪魔するようにしてもよい。
【００５５】
その他の変形態様を図９、図１０を参照して説明する。この変形態様は、実施例１の回路モジュール１０を発電機側バッテリ２の前端面に隣接形状としたものである。図９は、電池アセンブリ１００を下方から上方へ見上げた断面平面図を示し、図１０は電池アセンブリ１００を車両側方からみた断面側面図を示す。ただし、図９、図１０において、発電機側バッテリ２は断面図示されていない。電池アセンブリ１００は車両のエンジンルーム後部に配置されている。図９、図１０において、電池アセンブリ１００は車体に公知の種々の方法で固定された底板１１上に固定されている。
【００５６】
電池アセンブリ１００は、図１０に示す底板１１上に固定された発電機側バッテリ２と、発電機側バッテリ２の前端面に固定された回路モジュール１０と、発電機側バッテリ２及び回路モジュール１０を囲覆する樹脂製のバッテリカバー１２とからなる。７１０はベースプレート７１の複数の冷却フィンであり、回路モジュール１０から前方へ突出している。各冷却フィン７１０は、互いに車両左右方向に所定間隔を隔ててそれぞれ上下方向に延設されている。隣接する冷却フィン７１０の間のスペースは冷却風が上下方向に流れる冷却風通路を構成している。７４１はヒートシンク７４の複数の冷却フィンであり、後方へ突出している。各冷却フィン７４１は、互いに車両左右方向に所定間隔を隔ててそれぞれ上下方向に延設されている。隣接する冷却フィン７４１の間のスペースは冷却風が上下方向に流れる冷却風通路を構成している。７５１はヒートシンク７５の複数の冷却フィンであり、後方へ突出している。各冷却フィン７５１は、互いに車両左右方向に所定間隔を隔ててそれぞれ上下方向に延設されている。隣接する冷却フィン７５１の間のスペースは冷却風が上下方向に流れる冷却風通路を構成している。
【００５７】
発電機側バッテリ２は、図１０に示すようにその上面にガス排出用安全弁２０と、＋電極端子２１と−電極端子２２とを有している。＋電極端子２１とガス排出用安全弁２０と−電極端子２２とは車両左右方向に一列に並んでいるため、図１０においてガス排出用安全弁２０は破線で示され、−電極端子２２を示す線は明示されていない。＋電極端子２１と−電極端子２２は、ヒートシンク７４、７５と同様の冷却フィン付きのヒートシンク構造を有している。＋電極端子２１はヒートシンク７４の冷却フィン７４１に図示しないバスバーにより接続されており、−電極端子２２もヒートシンク７４の冷却フィン７４１にバスバー１０００により接続されている。これにより、発電機側バッテリ２と回路モジュール１０との電気接続がなされている。
【００５８】
なお、電極端子２１のヒートシンク部分とヒートシンク７４とをL字上に一体化し、電極端子２２のヒートシンク部分とヒートシンク７５とをL字上に一体化すればバスバー１０００を省略することができる。その他、電極端子２２とヒートシンク７５とを接地できる場合には、それらを後述するバッテリカバー１２を金属製とし、バッテリカバー１２を通じて車体に接地することもできる。樹脂製のバッテリカバー１２の下面には、図１０に示すように、金属板製のガス案内部材７９が固定されている。このガス案内部材７９は発電機側バッテリ２から高温のガスが噴出する場合に、このガスによりバッテリカバー１２が悪影響を受けるのを防止するために設けられたものである。
【００５９】
ガス排出用安全弁２０は、図１０に示すように発電機側バッテリ２の上部においてガス案内部材７９の直下に配置されており、発電機側バッテリ２の内部が高圧となってガス排出用安全弁２０から上方へガスが噴出した場合でも、このガスの流れを前後方向へ偏向することにより、高温のガスが上方へ噴出しないようにしている。
【００６０】
バッテリカバー１２は、樹脂製であって、発電機側バッテリ２の前端面に隣接する回路モジュール１０と発電機側バッテリ２の上面とを覆っており、ベースプレート７１の冷却フィン７１０の隙間やヒートシンク７４、７５の冷却フィン７４１、７５１の隙間や電極端子２１の冷却フィンの隙間に車両走行風又は強制冷却風を送風する冷却風通路を区画形成している。
【００６１】
バッテリカバー１２の前端面下部には冷却風案内ダクト１３の下流端に連結された冷却風吸入口１２１が設けられ、バッテリカバー１２の後端面下部には冷却風をエンジンルーム内に排出するための冷却風吐出口１２２が形成されている。
【００６２】
冷却風の流れを説明すると、冷却風案内ダクト１３の上流端は車両前部のエンジンルームの前部に開口しており、車両走行風を取り込む。バッテリカバー１２の冷却風吸入口１２１からバッテリカバー１２内に流入した冷却風は、ベースプレート７１やヒートシンク７４、７５を冷却し、その後、発電機側バッテリ２の電極端子２１、２２を冷却しつつ冷却風吐出口１２２から発電機側バッテリ２の後側面に沿いつつ下方に排出される。回路モジュール１０を発電機側バッテリ２の前端面ではなく発電機側バッテリ２の側方外側に配置しても良い。このようにすれば、車両の側方衝突が生じた場合における発電機側バッテリ２の損傷を減らせる。
【００６３】
その他、冷却風案内ダクト１３とバッテリカバー１２とをベースプレート７１やヒートシンク７４、７５に熱伝達良好に結合された金属板により形成してもよい。このようにすれば、発電機側バッテリ２や回路モジュール１０の冷却効果を更に改善することができる。また、冷却風案内ダクト１３の一部又は前部を車体をなす金属板により構成してもよい。具体的には、樋状の冷却風案内ダクト１３を車体をなす金属板に被せてダクトとすればよい。この冷却風案内ダクト１３内に回路モジュール１０や発電機側バッテリ２と外部の発電機又は負荷側バッテリ４とを接続するためのケーブルや制御配線を延設してもよい。
【００６４】
（実施効果）
この実施例によれば、回路モジュール１０を発電機側バッテリ２の上部に一体に固定した構造を採用したために、装置をコンパクトに構成できるとともに、両者間の配線距離を最小化することができ、車重増加及び配線電力損失増大を回避することができる。また、この電池アセンブリ１００に上部から圧力が加えられても、回路モジュール１０が緩衝効果をもつため発電機側バッテリ２の機械的安全性を改善することができる。更に、回路モジュール１０によりガス排出用安全弁２０から上方へのガスの噴出を防止することができ、対人被害の発生を防止することができる。
【００６５】
また、回路モジュール１０のカードモジュール７２、７３と発電機側バッテリ２との間に冷却用金属体としてのヒートシンク７４、７５を配置したので、冷却風により冷却されるカードモジュール７２、７３の発熱が発電機側バッテリ２に伝達されるのを防止することができる。すなわち、ヒートシンク７４、７５はカードモジュール７２、７３と発電機側バッテリ２との両方を冷却することができる。したがって、回路モジュール１０よりも温度上昇制限が厳しい発電機側バッテリ２を、冷却用金属体すなわちヒートシンク７４、７５により発熱体である回路モジュール１０から熱的に隔離することができ、回路モジュール１０の熱が発電機側バッテリ２に悪影響を与えるのを阻止することができる。
【００６６】
また、ヒートシンク７４、７５はバスバーを兼ねるため構成の簡素化と重量軽減を図ることができる。更に、バッテリカバー１２は、冷却風通路の創成とともに回路モジュール１０と発電機側バッテリ２との機械的、電気的保護の効果を生じさせるという利点をもつ。なお、バッテリカバー１２は発電機側バッテリ２を介することなく車体に固定することができるのはもちろんである。
【００６７】
（第２実施形態）
第２実施形態の空冷式車載電力装置を図１１を参照して説明する。ただし、この明細書では、符号体系を単純化するために第１実施形態の符号と第２実施形態の符号とは独立している。
【００６８】
図１１において、１はエンジン、２はエンジン前方に配置されたラジエータファン、３はラジエータファンを駆動するモータ、４はエンジン冷却水を冷却する間接熱交換器であるラジエータ、５は車両用空調用冷凍サイクル装置の冷媒液化用間接熱交換器であるコンデンサ、６は車載電力装置、７は吸引式ダクトである。
【００６９】
ラジエータ４はラジエータファン２に近接してラジエータファン２の前方に位置して車両前後方向と直角向きに延設されている。コンデンサ５はラジエータ４の前方に位置してラジエータ４と平行に延設されている。なお、ラジエータファン２から離れて車載電力装置６が配置されている。車載電力装置６は、バッテリとこのバッテリの充電電流又は放電電流を制御する制御装置であるが、車載電力装置６としては大電流が流れて発熱する装置であれば他のものでもよい。車載電力装置６は内部に冷却風通路を有しており、この冷却風通路は、車載電力装置６の前端面から冷却用の空気流（冷却風とも言う）を取り入れ、それを車載電力装置６の後端面から排出する。車載電力装置６の内部において冷却風通路に面してバッテリ又はパワー半導体素子を冷却するための冷却フィンが設けられている。車載電力装置６の放熱構造自体は種々知られており、かつ、この発明の主旨でもないためこれ以上の説明は省略する。
【００７０】
吸引式ダクト７は、車載電力装置６の後端面に連結される上流側開口部７１と、ラジエータファン２とラジエータ４との間に配置される下流側開口部７２とを、上流側開口部７１から下流側開口部７２へ冷却風を導引するダクト部７３とを有するダクトであり、金属板又は樹脂を成形して構成され、簡単にはエアホース形状を有することができる。吸引式ダクト７の下流側開口部７２は、ラジエータ４とラジエータファン２との間に形成されて冷却風を車両前後方向に流す上流側の空気流通路８に位置して、上流側の空気流通路８の横向き又は後ろ向きに開口している。なお、ここで言う横向きとは車両左右方向又は車両上下方向を言う。つまり、吸引式ダクト７の下流側開口部７２は、空気流の動圧を受けるのを避けるため車両前方向きには開口しない姿勢を有する。なお、車載電力装置６から流出する冷却風のすべてが吸引式ダクト７に導引される必要はなく、この冷却風の一部だけが吸引式ダクト７に導引されてもよい。
【００７１】
以下、この空冷構造の作用を説明する。
【００７２】
モータ３が停止している場合でも、車載電力装置６には車両走行風が導入されて車載電力装置６を冷却し、その後、吸引式ダクト７を通じて排出され、車載電力装置６の冷却が可能となる。モータ３によりラジエータファン２を駆動すると、ラジエータファン２とラジエータ４との間の上流側の空気流通路８には車両前方（上流）から車両方向への強い空気流が形成されて、上流側の空気流通路８の静圧は負圧となる。一方、吸引式ダクト７の上流側の空気流通路８は車両前方に向けて開口しており、車載電力装置６の内部の冷却風は車載電力装置６の内部にて流体損失を受けるものの吸引式ダクト７の上流側開口部７１に流入する。したがって、吸引式ダクト７の下流側開口部７２をラジエータ４とラジエータファン２との間に横又は後ろ向きに開口することにより、車載電力装置６を車両走行風又は強制冷却風により良好に冷却することができる。また、ラジエータファン２からでてエンジン１を冷却する空気流をバイパスすることもないため、エンジン１やその周辺の機器の冷却性能の低下も低減することができる。
【００７３】
（変形態様）
上記した第２実施形態では、吸引式ダクト７の下流側開口部７２をラジエータファン２とラジエータ４との間の上流側の空気流通路８に開口したが、その代わりに、コンデンサ５の上流側に開口しても良い。
【００７４】
変形態様の空冷式車載電力装置を図１２を参照して説明する。図１２は、図１１において、吸引式ダクト７の下流側開口部７２をラジエータファン２に近接してその下流側の空気流通路９に配置した点に特徴がある。ラジエータファン２は、ラジエータファン２の下流側の空気流通路９においても、高速の空気流を形成するため、その静圧は負圧状態となっており、第２実施形態と同じく吸引冷却風により車載電力装置６を良好に冷却することができる。
【００７５】
変形態様の空冷式車載電力装置を図１３を参照して説明する。図１３は、図１１において、吹き出し式ダクト１０を更に増設した点をその特徴としている。この吹き出し式ダクト１０は、ラジエータファン２に近接するラジエータファン２の下流側の空気流通路９に上流側開口部１１を、車載電力装置６の後端面に下流側開口部１２をもち、吸引式ダクト７の上流側開口部７１は車載電力装置６の前端面に設けられている。
【００７６】
この吹き出し式ダクト１０の上流側開口部１１は、空気流通路９の空気流の動圧を受けるようにこの空気流の上流側に向けて開口している。このようにすれば、ラジエータファン２を駆動することにより、又は車両走行風により、吹き出し式ダクト１０には冷却風が流れ込み、この冷却風が車載電力装置６を冷却して吸引式ダクト７からラジエータファン２の上流側の空気流通路８に吸引されるため、車載電力装置６を強力な冷却風により冷却することができる。なお、この変形態様では、ラジエータファン２の上流側に近接して吸引式ダクト７の下流側開口部７２を設け、ラジエータファン２の下流側に近接して吹き出し式ダクト１０の上流側開口部１１を設けたが、それらの配置を逆としてもよい。
【００７７】
車載電力装置６を冷却するための強制冷却風を、ラジエータファン２の上流側の空気流通路８又は下流側の空気流通路９に下流側開口部７２が開口する吸引式ダクト７により形成したが、ファンはラジエータファン２に限定されるものではなく、車載電力装置６以外の発熱体を冷却するための車載ファンであれば何でも良いことはもちろんである。たとえば、冷却ファンとしては、車両空調用ファンとし、吸引式ダクト７の上流側開口部７１を車両空調用空気流通路に設けても良い。あるいは、車両用発電機の回転子に付設された冷却ファンを用い、その空気流通路に吸引式ダクト７の上流側開口部７１を開口しても良い。これら冷却ファンの変更自体は容易に理解できる事項であるため、図示は省略する。
【００７８】
変形態様を以下に説明する。これは、図１１に示す吸引式ダクト７の上流側開口部７１の変形例について図１４を参照して説明する。図１４は、吸引式ダクト７の上流側開口部７１をエゼクタ構造としたものである。図１４において、吸引式ダクト７のダクト部７３の終端７３０には吸引式ダクト７の下流側開口部７２としてエゼクタ７４が連結されている。このエゼクタ７４は、外筒部７４１、ノズル部７４２、ディフユーザ部７４３、空気吹き出し孔７４４からなる。
【００７９】
外筒部７４１は、ラジエータファン２の上流側の空気流通路８内に位置して前後に両端開口する筒体からなる。ノズル部７４２は、外筒部７４１の前端開口７４１０に面して外筒部７４１の内部の前部側に固定されて後方に向けて先細となるコーン状筒体からなる。ディフユーザ部７４３は、外筒部７４１の後端開口７４１１に面して外筒部７４１の内部後部側に固定されて前方に向けて先細となるコーン状筒体からなる。空気吹き出し孔７４４は、ノズル部７４２とディフユーザ部７４３との間に開口してダクト部７３の終端開口７３０から吸い出した空気を、ノズル部７４２の後方のディフユーザ部７４３内に吹き出すための孔である。
【００８０】
このように構成したこの実施例の吸引式ダクト７の下流側開口部７２は、エゼクタ構造を有しており、ノズル部７４２により増速、減圧された空気流がノズル部７４２の下流側にて吸引式ダクト７の冷却風を強力に吸い出すため、車載電力装置６の冷却能力を向上することができる。更に、ノズル部７４２により増速、減圧された空気流の運動エネルギーはディフユーザ部７４３により圧力エネルギーとして回収されるため、空気流通路８の圧力損失すなわち流体損失を低減し、ラジエータファン２の動力を低減することができる。なお、このエゼクタ構造は、樹脂成形して構成することが好適であるが、金属板金加工により形成することができることは当然である。
【００８１】
図１４に示すエゼクタ構造の変形例を図１５〜図１７を参照して説明する。この変形態様は、ラジエータファン２の上流側の空気流通路８内に、吸引式ダクト７の下流側開口部７２を、ダクト部７３からＴ字状に分岐する分岐筒部１２により構成したものである。この分岐筒部１２は、下流側開口部７２の終端から上下に延設される筒部であって、その水平断面が図１５に図示されている。分岐筒部１２の後端には冷却風を吹き出すための長孔１２１が開口されている。分岐筒部１２は空気流通路８を流れる空気流の流体損失を減らすために図１４に示すように前部が半円形状の断面をもち、後方へ向けてディフユーザ効果を得るために徐々に絞られた形状を有している。このようにすれば、ラジエータファン２の上流側の空気流通路８内に吸引式ダクト７の下流側開口部７２を挿入することによる空気流通路８内の空気流の流体損失増加を抑止しつつエゼクタ（流体吸い出し）効果を得るとともに、構造を簡素化することができる。
【図面の簡単な説明】
【００８２】
【図１】第１実施形態の車両用電源装置の回路構成を示すブロック回路図である。
【図２】電力伝送装置及びコントローラを実装した系間送電回路としての回路モジュールの形状を示す縦断面図である。
【図３】回路モジュールと発電機側バッテリ２とを一体化した電池アセンブリを車両前方から後方へみた正面図である。
【図４】図３の電池アセンブリを車両側方からみた側面図である。
【図５】冷却ファン機構を示す模式平面図である。
【図６】変形態様の電池アセンブリを車両前方から後方へみた正面図である。
【図７】図６の電池アセンブリの平面図である。
【図８】変形態様の電池アセンブリを車両側方からみた側面図である。
【図９】変形態様の電池アセンブリを下から上に見上げた状態を示す断面平面図である。
【図１０】図９の電池アセンブリを車両側方からみた断面側面図である。
【図１１】第２実施形態の空冷式車載電力装置を示す模式平面図である。
【図１２】変形態様の空冷式車載電力装置を示す模式平面図である。
【図１３】変形態様の空冷式車載電力装置を示す模式平面図である。
【図１４】図１１の吸引式ダクトの下流側開口部を拡大図示する模式平面図である。
【図１５】変形態様を示す模式平面図である。
【図１６】図１５の吸引式ダクトの下流側開口部の配置を示す模式正面図である。
【図１７】図１５の吸引式ダクトの模式平面図である。
【符号の説明】
【００８３】
（第１実施形態（図１〜図１０において）
１      発電機
２      発電機側バッテリ
３      電源ライン
４      負荷側バッテリ
５      電気負荷
６      負荷給電ライン
７      電力伝送装置
８      コントローラ
１０      回路モジュール
１１      底板
１２      バッテリカバー
１３      冷却風案内ダクト
１４      遠心ファン
１５      バイパスダクト
１６      逆止ダンパ
２０      ガス排出用安全弁
２１      電極端子
２２      電極端子
２９      孔
７１      ベースプレート
７２      カードモジュール
７３      カードモジュール
７４      ヒートシンク
７５      ヒートシンク
７６      樹脂モールド部
７８      制御端子
７７      絶縁シート
７９      ガス案内部材
１００      電池アセンブリ
１２１      冷却風吸入口
１２２      冷却風吐出口
２００      冷却ファン機構
７１０      冷却フィン
７４１      冷却フィン
７５１      冷却フィン
（第２実施形態（図１１〜図１７において）
１      エンジン
２      ラジエータファン
３      モータ
４      ラジエータ
５      コンデンサ
６      車載電力装置
７      吸引式ダクト
８      上流側の空気流通路
９      下流側の空気流通路
１０      吹き出し式ダクト
１１      上流側開口部
１２      下流側開口部
１３      分岐筒部
７１      上流側開口部
７２      下流側開口部
７３      ダクト部
７４      エゼクタ
１２１      長孔
７３０      終端
７４１      外筒部
７４１０      前端開口
７４１１      後端開口
７４２      ノズル部
７４３      ディフユーザ部
７４４      孔
【図１】
0004656426.tif 000002
【図２】
0004656426.tif 000003
【図３】
0004656426.tif 000004
【図４】
0004656426.tif 000005
【図５】
0004656426.tif 000006
【図６】
0004656426.tif 000007
【図７】
0004656426.tif 000008
【図８】
0004656426.tif 000009
【図９】
0004656426.tif 000010
【図１０】
0004656426.tif 000011
【図１１】
0004656426.tif 000012
【図１２】
0004656426.tif 000013
【図１３】
0004656426.tif 000014
【図１４】
0004656426.tif 000015
【図１５】
0004656426.tif 000016
【図１６】
0004656426.tif 000017
【図１７】
0004656426.tif 000018